(57)【特許請求の範囲】
【請求項１】
複数の画素により構成され、画素毎に薄膜トランジスタが形成された表示部と、
オン時に所定の電圧に固定された第１の電圧を前記薄膜トランジスタのゲート部に供給する第１のスイッチング素子と、
オン時にパルス化された第２の電圧を前記薄膜トランジスタのゲート部に供給する第２のスイッチング素子と、
切替信号により、前記第１のスイッチング素子と、前記第２のスイッチング素子とを択一的に選択して、前記第１の電圧と前記第２の電圧とを切替る切替回路とを有することを特徴とする液晶パネル。
【請求項２】
前記液晶パネルのデータバスラインに供給する電圧を、前記切替信号により接地電位にする第３のスイッチング素子を有することを特徴とする請求項１に記載の液晶パネル。
【請求項３】
前記液晶パネルのコモン電極に供給する電圧を、前記切替信号により接地電位にする第４のスイッチング素子を有することを特徴とする請求項１に記載の液晶パネル。
【請求項４】
前記液晶パネルのデータバスラインに電圧を供給する内部電源と前記内部電源に電圧を供給する外部電源とを、前記切替信号により切断する切断回路を有することを特徴とする請求項１に記載の液晶パネル。
【発明の詳細な説明】
【０００１】
【発明の属する技術分野】
本発明は液晶パネルに関し、さらに詳しくいえば、アクティブマトリクス方式の液晶パネルに関する。
【０００２】
【従来の技術】
低消費電力、低電圧動作、軽量、薄型、カラー表示などを特徴とする液晶パネルは、パーソナルコンピューター（ＰＣ）やビデオ機器などへ急速にその用途を拡大している。近年、アクティブマトリクス駆動のカラー液晶パネルは、ブラウン管（cathod ray tube : ＣＲＴ）に近い高画質が期待できるので、大容量、大画面化が進められている。しかし、このような高性能化を進めるには液晶を制御するＴＦＴ（薄膜トランジスタ）及びそのＴＦＴに電圧を印加させるためのドライバＩＣの信頼性を向上させる必要がある。
【０００３】
ＴＦＴはアモルファスシリコンを能動層に利用して、ゲート電極がチャネル部の下に形成された逆スタガ構造をもつのが一般的である。ＴＦＴは所定の伝達特性（ＶGS−ＩD 特性) を示す閾値電圧をもち、液晶を制御する。しかし、ＴＦＴ基板をパネル化して、その後、端子接続やプリント板実装などを行ってユニット化する過程において、静電気などの外部からの電圧印加があると、ＴＦＴのゲート絶縁膜へキャリアが注入される。
【０００４】
そのため、ゲート絶縁膜とアモルファスシリコンの界面にキャリアがトラップされて、ＴＦＴの伝達特性が変動し、閾値電圧がシフトする。この閾値のシフトはゲートバスラインへの外部からの電圧印加で発生するので、ゲートバスラインに沿った線状のムラが液晶パネルの画像に発生することが多い。この場合、液晶画面のムラを解消させるために、ＴＦＴのゲート部に電圧を印加させて、閾値シフトを修正する必要がある。
【０００５】
通常、ユニット化される前の液晶パネルの状態では、ＴＦＴのゲート部に外部の電源から強制的にパルス化されていない固定された比較的高い一定電圧を印加したり、又は、液晶パネル全体を熱処理することで、閾値シフトを修正する。
これに対して、液晶パネルにプリント板などが実装されて、ユニット化された状態では、ＴＦＴには通常の液晶駆動用のパルス電圧しか供給できない。すなわち、外部の電源から強制的に高い電圧を印加したり、熱処理したりすることはできないため、液晶パネルを通常条件で長時間ランニングして修正するなどの方法しかなかった。
【０００６】
また、近年、液晶表示装置の大画面化、高精細化の要求に伴い、ＴＦＴを駆動させるためのドライバＩＣは、小型化、多出力化となり、多層配線のピッチが微細化されてきている。このように、ドライバＩＣも高性能化、高集積化が求められており、その信頼性の評価は重要である。ドライバＩＣは液晶パネルに組み付けられる前に個別に信頼性試験が行われ、さらに、液晶パネルに組み付けられた後に、ドライバＩＣ内部のトランジスタのゲート絶縁膜不良などのスクリーニングが行われる。ドライバＩＣのスクリーニングは、通常の液晶を駆動させる内部電源回路で出力された電圧をストレス電圧として長時間印加させることにより行われる。
【０００７】
【発明が解決しようとする課題】
ＴＦＴの閾値シフトなどの不良を短時間で、効率よく修正するためには、通常の液晶駆動のために印加される電圧より高い方がよく、かつ、パルス化されていない一定の電圧の方がよい。
液晶パネルがユニット化された状態で、ＴＦＴの閾値シフトを修正する場合、従来方法では、ＴＦＴには通常の液晶制御に対応したパルス電圧しか印加できない。すなわち、ＴＦＴにパルス化されていない一定電圧やさらに高い電圧を強制的に印加させることができないため、数ヶ月程度の長いランニング時間が必要であり、効率が悪いという問題点がある。
【０００８】
また、ドライバＩＣ内のゲート絶縁膜破壊などの潜在不良が存在するトランジスタを、短時間でスクリーニングするには、ドライバＩＣの絶対最大定格に近い電圧を印加させることが有効である。液晶パネルがユニット化された状態で、ドライバＩＣをスクリーニングする場合、従来方法では、通常の液晶を駆動させるためのドライバＩＣ用の駆動電圧しか印加できない。すなわち、ドライバＩＣにドライバＩＣの絶対最大定格に近い高い電圧を印加できないため、効率が悪いという問題点がある。
【０００９】
本発明は、以上の問題を鑑みてなされたものであり、液晶パネルがユニット化され組み立てが終了した後でも、ＴＦＴやドライバＩＣに強制的に高い電圧を印加させることにより、ＴＦＴの閾値シフトの修正を短時間で効率よく行うことができる液晶パネルを提供することを目的とする。
【００１０】
【課題を解決するための手段】
上記した課題は第１の発明である複数の画素により構成され、画素毎に薄膜トランジスタが形成された表示部と、オン時に所定の電圧に固定された第１の電圧を前記薄膜トランジスタのゲート部に供給する第１のスイッチング素子と、オン時にパルス化された第２の電圧を前記薄膜トランジスタのゲート部に供給する第２のスイッチング素子と、切替信号により、前記第１のスイッチング素子と、前記第２のスイッチング素子とを択一的に選択して、前記第１の電圧と前記第２の電圧とを切替る切替回路とを有することを特徴とする液晶パネルにより解決する。
【００１１】
本発明によれば、ＴＦＴのゲートに所定の電圧に固定された第１の電圧とパルス化された第２の電圧とを択一的に選択して供給するスイッチング手段を有している。通常の液晶駆駆動時には、液晶駆動に最適な所定のパルス電圧をＴＦＴのゲート部に印加させ、ＴＦＴの閾値シフトを修正させる時には、パルス化されていない一定電圧をＴＦＴのゲート部に印加させる。これによれば、実質的に、ＴＦＴの閾値シフトを修正するための電圧印加時間を少なくすることができるため、効率よくＴＦＴの閾値シフトを修正することができる。
【００１２】
一つの好ましい形態では、データバスラインやコモン電極に供給する電圧を接地電位にするスイッチング素子を有する。これによれば、データバスラインやコモン電極に電圧が印加されないため、液晶は駆動されない。すなわち、液晶に悪影響を与えないで、効率よくＴＦＴの閾値シフトを修正することができる。
【００１４】
【発明の実施の形態】
以下に、本発明の実施の形態について図を参照しながら説明する。
（第１の実施の形態）
図１は本発明の第１の実施の形態の液晶パネルを示すブロック図である。
なお、この例では、ＴＦＴ１８の閾値シフトを修正する機構を有する液晶パネルについて説明する。
【００１５】
図１において、液晶パネルの表示部の周辺部にＡＳＩＣ１０、電源回路Ａ１２、電源回路Ｂ１７、データドライバ１６及びゲートドライバ１４が配置されている。また、表示部には画素毎にＴＦＴ１８及び画素電極が配置され、画素電極に対向部してコモン電極２２が配置され、画素電極とコモン電極２２の間には液晶が封入されている。表示部の縦方向にＴＦＴ１８のドレインに接続されるデータバスライン２０の端子が引き出され、横方向にＴＦＴ１８のゲートに接続されるゲートバスライン１９の端子が引き出されて、それぞれ、データドライバ１６、ゲートドライバ１６に接続されている。データドライバ１６及びゲートドライバ１４には、それぞれ、データバスライン２０、ゲートバスライン１９に信号を伝えるための駆動回路（図示せず）とデータドライバ１６間及びゲートドライバ１４間に順次信号を伝える回路（図示せず）などが入っている。
【００１６】
コンピュータ用カラー液晶パネルの場合、ＡＳＩＣ１０にコンピュータからの表示信号であるＲＧＢ色の信号と縦線、横線の動作時間を合わせるための同期信号（Ｈ−SYNC，Ｖ−SYNC）とが入力される。そして、これらはＡＳＩＣ１０内の信号処理回路及びタイミング回路で処理されて、データドライバ１６及びゲートドライバ１４に送られる。そして、これらの信号がＴＦＴ１８に送られ液晶が駆動される。
【００１７】
外部からＡＳＩＣ１０に送られるモード切替信号により、電源回路Ａ１２から配線２５で供給されるパルス電圧もしくは配線２４で供給される固定された一定電圧がＡＳＩＣ１０内で切替られて、配線２１で出力され、ゲートドライバ１４を介してＴＦＴ１８のゲート部に供給される。さらに、外部からＡＳＩＣ１０に送られる信号により、電源回路Ｂ１７から配線５８で供給される電源回路Ａ１２が出力する電圧より高い電圧がＡＳＩＣ１０内で切替られてゲートドライバ１４を介してＴＦＴ１８のゲート部に供給される。
【００１８】
電源回路Ａ１２は配線３３及び配線４１で、それぞれデータドライバ１６及びコモン電極２２に接続されて電圧が供給さる。また、電源回路Ａ１２は配線７７でＡＳＩＣ１０と接続されており、モード切替信号が送られる。外部電源入力１は配線７５で接続され、外部電圧が電源回路Ａ１２に供給される。電源回路Ｂ１７は配線５８でＡＳＩＣ１０に接続され、高い一定電圧がＡＳＩＣ１０で切替られ、ゲートドライバ１４を介してＴＦＴ１８のゲート部に供給される。
【００１９】
このような構成で、外部からＡＳＩＣ１０にモード切替信号が送られ、電源回路Ａ１２から出力される一定電圧もしくはパルス電圧をＡＳＩＣ１０内で切替てゲートドライバ１４を介してＴＦＴ１８のゲート部に供給することができる。また、電源回路Ｂ１７は電源回路Ａ１２より高い電圧を出力できるので、電源回路Ａ１２から出力されるパルス電圧もしくは電源回路Ｂ１７から出力される高い一定電圧をＡＳＩＣ１０内で切替てＴＦＴ１８のゲート部に供給することができる。これにより、ＴＦＴ１８の閾値シフトを修正する場合、通常のパルス電圧を一定電圧もしくはさらに高い一定電圧に切替てＴＦＴ１８のゲート部に供給できるので、ＴＦＴ１８の閾値シフトを短時間で効率よく修正することができる。
【００２０】
図２はＡＳＩＣ１０内に配置されたＴＦＴ１８のゲート部に供給する電圧を切替る切替回路を示す模式図である。図２に示すように、ＡＳＩＣ１０内にはセレクタ２３が具備されており、セレクタ２３には電源回路Ａ１２からＴＦＴ１８に一定電圧を供給する配線２４及びパルス電圧を供給する配線２５が接続され、外部からどちらの電圧を供給させるかを選択して指示するモード切替信号線２６が接続されている。モード切替信号線２６はセレクタ２３に接続される前にＡＳＩＣ１０内で接地された抵抗２８に接続されている。切替られた電圧を供給する配線２１はゲートドライバ１４を介してＴＦＴのゲート部に接続されている。
【００２１】
液晶を通常に駆動させる場合、ＡＳＩＣ１０のセレクタ２３はパルス電圧を供給する配線２５に接続されて、電源回路Ａ１２から２５Ｖ程度のパルス電圧が供給される。そして、パルス電圧がＡＳＩＣ１０よりゲートドライバ１４に供給され、ゲートドライバ１４内部のシフトレジスタで順次転送され、そのタイミングでゲートスキャンパルスがＴＦＴ１８に印加され、液晶が通常に駆動される。
【００２２】
これに対して、ＴＦＴ１８の閾値シフト修正するための一定電圧を印加させる場合、ＡＳＩＣ１０のセレクタ２３は一定電圧を供給する配線２４に接続されて、電源回路Ａ１２から２５Ｖ程度に固定された一定電圧が供給される。これにより、電源回路Ａ１２から供給された一定の電圧はゲートドライバ１４を介してＴＦＴ１８のゲート部へ供給され、ＴＦＴ１８の閾値シフトが修正される。
【００２３】
ＴＦＴ１８の閾値シフトを短時間で、効率よく修正するためには、さらに高い固定された一定の電圧を印加することが有効である。通常のパルス電圧及び閾値シフト修正のための高い電圧をＴＦＴ１８のゲート部に切替て供給する液晶パネルについて説明する。
通常の液晶駆動で使用している電圧は２０Ｖから２５Ｖのパルス電圧であり、ＴＦＴ１８のゲート部に電圧を供給するためのゲートドライバ１４のトランジスタ耐圧は３０Ｖから４０Ｖである。このことより、本実施の形態では、図１に示すように、電源回路Ａ１２の他に電源回路Ａ１２より高い一定電圧を供給できる電源回路Ｂ１７を液晶パネルの周辺部に具備している。これにより、ゲートドライバトランジスタの耐圧である４０Ｖ程度の一定電圧をゲートドライバ１４を介してＴＦＴ１８のゲート部に供給することができる。
【００２４】
図３はＡＳＩＣ１０内に具備されたＴＦＴ１８のゲート部に供給する電圧を切替る切替回路を示す模式図である。
ＴＦＴ１８のゲート部に供給される電圧は、図３に示すように、電源回路Ｂ１７から供給される閾値シフト修正用の高い一定電圧を供給する配線５８と電源回路Ａ１２から供給される通常のパルス電圧を供給する配線２４とが具備されている。閾値シフト修正用の高い一定電圧を供給する配線５８及び通常の液晶駆動用パルス電圧を供給する配線２４には、それぞれ、第１のスイッチング素子であるＰチャネルＭＯＳトランジスタ５４及び第２のスイッチング素子であるＰチャネルＭＯＳトランジスタ５６が接続され、ゲートドライバ１４を介してＴＦＴ１８のゲート部に接続されている。
【００２５】
閾値シフト修正用の高い一定電圧を供給する配線５８に接続されたＰチャネルＭＯＳトランジスタ５４のゲート部には、抵抗を５１介して、ドレインが接地されたＮチャネルＭＯＳトランジスタ５０が接続されている。高い一定電圧を供給する配線５８とＰチャネルＭＯＳトランジスタ５４のゲート部との間には抵抗５１が配置されている。ＮチャネルのＭＯＳトランジスタ５０のゲートにはモード切替信号線５３が接続されて、ＡＳＩＣ１０から送られるモード切替信号が入力される。
【００２６】
また、通常のパルス電圧を供給する配線２４には、ＰチャネルＭＯＳトランジスタ５６が接続され、このゲート部には抵抗５１を介してドレインが接地されたＮチャネルＭＯＳトランジスタ５２が接続されている。パルス電圧を供給する配線２４とＰチャネルＭＯＳトランジスタ５６のゲート部との間には抵抗５１が配置されている。ＮチャネルＭＯＳトランジスタ５２のゲートにはインバータ６２を介してＡＳＩＣ１０からのモード切替信号線５３に接続されてモード切替信号が入力される。
【００２７】
以上のように、ＮチャネルＭＯＳトランジスタ５０、ＮチャネルＭＯＳトランジスタ５２及びインバータ６２により、高い一定電圧及びパルス電圧を択一的に選択して切替る切替回路を構成している。外部からＡＳＩＣ１０に閾値シフト修正用の高い一定電圧を供給させるためのＨｉｇｈレベル信号が出力された場合、インバータ６２を介していないＮチャネルＭＯＳトランジスタ５０がＯＮとなり、閾値シフト修正用の高い一定電圧を供給する配線５８に接続されたＰチャネルＭＯＳトランジスタ５４がＯＮとなる。そして、閾値修正用の高いパルス化されていない高い一定電圧、例えば４０Ｖがゲートドライバ１４を介してＴＦＴ１８のゲート部に印加される。
【００２８】
この場合、インバータ６２を介しているＰチャネルＭＯＳトランジスタ５２は、入力がＬｏｗレベルなのでＯＦＦとなる。そして、通常のパルス電圧を供給する配線２４に接続されたＰチャネルＭＯＳトランジスタ５６もＯＦＦとなるので、ＴＦＴ１８のゲート部には閾値シフト修正用の高い一定電圧のみが印加される。
【００２９】
これに対して、外部からＡＳＩＣ１０に通常の液晶駆動用のパルス電圧を供給するためのＬｏｗレベルの信号が出力された場合、インバータ６２を介したＮチャネルＭＯＳトランジスタ５２のみがＯＮとなり、さらに、通常のパルス電圧を供給するラインに接続されたＰチャネルＭＯＳトランジスタ５６がＯＮとなり、通常のパルス電圧がゲートドライバ１４を介してＴＦＴのゲートに供給されて、液晶が駆動される。
【００３０】
以上の切替回路を具備することにより、外部からＡＳＩＣ１０にモード切替信号が送られ、ＡＳＩＣ１０内で閾値シフト修正用の高い一定電圧及び通常のパルス電圧を択一的に選択してＴＦＴ１８のゲート部に供給することができる。すなわち、ＴＦＴ１８の閾値シフトを修正する場合、通常の液晶駆動で使用するパルス電圧より高い一定電圧をＴＦＴ１８に供給することができるので、短時間で効率よくＴＦＴ１８の閾値シフトを修正することができる。
【００３１】
以上のように、ＴＦＴ１８のゲート部にパルスではない一定電圧を印加して閾値シフトを修正する時に、液晶に悪影響を及ぼさないように、ＴＦＴ１８のドレインに接続されているデータバスライン２０への入力電圧を接地電位に固定させることが好ましい。
図４は電源電圧Ａ１２内に具備され、データバスライン２０に供給する電圧を接地電位にする回路を示す模式図である。図４に示すように、電源電圧Ａ１２内には、接地された複数の抵抗３６が直列に配置されて電源電圧ＶDD３０に接続され、複数の抵抗３６間には複数のオペアンプ３２がそれぞれ接続され、配線３３でデータドライバ１６に接続されている。
【００３２】
抵抗３６間のＡ地点には、第３のスイッチング素子であるエミッタが接地されたバイポーラトランジスタ３４のコレクタが接続され、バイポーラトランジス３４のベースにＡＳＩＣ１０からのモード切替信号線３５が接続されてなる付加回路３８が構成されている。
ＡＳＩＣ１０に接続されている配線４５からＨｉｇｈレベル閾値修正モード、もしくは、Ｌｏｗレベル通常液晶駆動モードへの切替信号が入力される。例えば、ＡＳＩＣ１０からＨｉｇｈレベル閾値修正モード選択の信号が送られた場合、バイポーラトランジスタ３４がＯＮとなり、Ａの地点での電圧は接地電位となる。そして、オペアンプ３２の出力も接地電位になるため、データドライバ１６へ出力も接地電位に固定される。従って、ＴＦＴ１８のドレインに供給される電圧も接地電位となる。
【００３３】
さらに、ＴＦＴ１８のゲート部にパルスではない一定の電圧を印加して閾値シフトを修正する時に、液晶に悪影響を及ぼさないように、コモン電極２２への入力電圧レベルを接地電位に固定させることが好ましい。
図５は電源電圧Ａ１２内に具備されたコモン電極２２へ供給する電圧を接地電位にする回路を示す模式図である。図５に示すように、三つの抵抗４８ａ，４８ｂ，４８ｃが直列に配置されて電源電圧ＶDD４６と接地との間に接続されている。可変抵抗４８ｂの中間接点（Ｃ点）から一定の電圧が出力されるようになっている。Ｃ点とコモン電極２２との間にオペアンプ４２が配置され、配線４１がコモン電極２２に接続されている。オペアンプ４２と入力Ｂ点との間には接地されたコンデンサ４３が接続されている。Ｂ点には第４のスイッチング素子であるバイポーラトランジスタ４４のコレクタが接続されている。このバイポーラトランジスタ４４のエミッタは接地され、ベースにはＡＳＩＣ１０からのモード切替信号線４５が接続されている。このバイポーラトランジスタ４４により付加回路４７が構成されている。
【００３４】
ＡＳＩＣ１０からＨｉｇｈレベル閾値修正モード、もしくは、Ｌｏｗレベル通常モードへの切替信号が入力される。ＡＳＩＣ１０からＨｉｇｈレベル閾値修正モード選択の信号が送られた場合、バイポーラトランジスタ４４がＯＮとなり、Ｂ地点での電圧は接地電位となる。そして、オペアンプ４２の出力も接地電位になるため、コモン電極２２への出力も接地電位に固定される。
【００３５】
以上のように、本発明の好ましい形態においては、閾値シフト修正用の一定電圧をＴＦＴ１８のゲート部に供給する時、データドライバ１６及びコモン電極２２への入力電圧レベルを接地電位にすることができるため、液晶に悪影響を及ぼさないでＴＦＴ１８の閾値シフトを修正することができる。
また、本発明の形態において、ゲートドライバ１４を通常のパルス電圧で液晶パネルを作動させ、ＴＦＴ１８の閾値がシフトしているラインのみ、閾値シフト修正用の高い一定電圧に切替て、閾値シフトを修正してもよい。
【００３６】
次に、ＴＦＴ１８のゲート部に閾値シフト修正用の一定電圧を供給する時、データドライバ１６への供給される電圧を切断して、データドライバ１６に電圧を供給しない方法を説明する。図６は電源回路Ａ１２内のデータドライバ電圧出力回路７６と外部電源７５との間に設けられた電圧切断回路を示す模式図である。図６に示すように、外部電源７５とデータドライバ電圧出力回路７６はＰチャネルＭＯＳトランジスタ７０を介して配線７５で接続されている。ＰチャネルＭＯＳトランジスタ７０のゲートは抵抗７３介してＤ点を経由して外部電源７５に接続されている。ＰチャネルＭＯＳトランジスタ７０のゲート部とドレイン部が接地されたＮチャネルＭＯＳトランジスタ７２のソース部が抵抗７３を介して接続されている。ＮチャネルＭＯＳトランジスタ７２のゲートは、インバータ７４を介して配線７７でＡＳＩＣ１０に接続されており、ＡＳＩＣ１０にモード切替信号が入力される。
【００３７】
ＡＳＩＣ１０から閾値シフト修正用の一定電圧をＴＦＴ１８のゲート部に供給させるためのＨｉｇｈレベル信号が出力されると、ＮチャネルＭＯＳトランジスタ７２はインバータ７４を介しているのでＯＦＦとなり、ＰチャネルＭＯＳトランジスタ７０もＯＦＦとなる。従って、外部電源７５とデータドライバ電圧出力回路７６は完全に切断され、データドライバ１６への供給電圧は０Ｖとなる。
【００３８】
データドライバ電圧出力回路７６は、コモン電極２２及びオペアンプ３２，４２にも電圧を供給しているので、コモン電極２２及びオペアンプ３２，４２に印加される電圧も０Ｖとなる。
従って、ＴＦＴ１８のゲート部に一定電圧を印加して閾値シフトを修正する時、データドライバ１６及びコモン電極２２には電圧が印加されない。このため、液晶に悪影響を及ぼさないで、ＴＦＴ１８の閾値シフトを短時間で、効率よく修正することができる。
（第２の実施の形態）
図７は第２の実施の形態の液晶パネルを示すブロック図である。
【００３９】
なお、この例ではデータドライバ８０及びゲートドライバ８２をスクリーニングする機能を有する液晶パネルについて説明する。
図７に示すように、液晶パネル９３の表示部の周囲の領域には、データドライバ８０及びゲートドライバ８２（以下、ドライバＩＣという）が配置されている。ドライバＩＣ８０，８２に通常の液晶駆動用の電圧を供給させるための外部入力端子Ｂ９２及び通常の液晶駆動の電圧より高い電圧を供給するための外部入力端子Ａ９０が配置されている。外部入力端子Ｂ９２は内部電源ユニット８４に接続され、内部電源ユニット８４からデータドライバ８０に電圧を供給する配線８７及びゲートドライバ８２に電圧を供給する配線８５が、それぞれ、第１のスイッチング素子であるスイッチ８６及び第２のスイッチング素子であるスイッチ８８に接続されている。
【００４０】
外部入力端子Ａ９０からデータドライバ８０に電圧を供給する配線８１及び外部入力端子Ａ９０からゲートドライバ８２に電圧を供給する配線８３は、それぞれ、スイッチ８６及びスイッチ８８に接続されている。データドライバ８０とスイッチ８６とは配線９１で接続され、ゲートドライバ８２とスイッチ８８とは配線８９で接続されている。
【００４１】
スイッチ８６は第１の電圧である通常の液晶駆動の電圧及び第２の電圧である高い一定電圧を択一的に選択してデータドライバ８０に電圧を供給するためのスイッチング素子である。また、スイッチ８８は第３の電圧である通常の液晶駆動のパルス電圧及び第４の電圧である高い一定電圧を択一的に選択してゲートドライバ８２に電圧を供給するためのスイッチング素子である。
【００４２】
ドライバＩＣ８０，８２のスクリーニングを行う時は、外部入力端子Ａ９０に外部電源（図示せず）が接続され、スイッチ８６及びスイッチ８８はそれぞれ外部入力端子Ａ９０側の配線８１及び配線８３に接続される。これにより、高い一定電圧であるＶDD１及びＶDD２がそれぞれデータドライバ８０及びゲートドライバ８２に個別に供給される。
【００４３】
通常に液晶を駆動させる場合は、スイッチ８６及びスイッチ８８はそれぞれ内部電源ユニット８４側の配線８７及び配線８５に接続される。これにより、外部端子Ｂ９２からＶCCが内部電圧ユニット８４に供給されて電源電圧が出力され、ドライバＩＣ８０、８２にそれぞれ個別に電圧が供給され，液晶が駆動される。以上のように、スイッチ８６及びスイッチ８８を具備させることにより、外部電源から供給される高い電圧をドライバＩＣ８０，８２に個別に供給することができるので、ドライバＩＣ８０，８２内のトランジスタのスクリーニングを効率よく行うことができる。
【００４４】
図８は液晶駆動時の液晶パネルの電圧供給ユニットを示す模式図である。図８において、図７と同一物には同一符合を付して、その詳しい説明は省略する。
コネクタＡ１００は内部電源ユニット８４から通常の液晶駆動用の電圧をドライバＩＣ８０，８２に供給するためのコネクタである。コネクタＡ１００を外部入力端子Ｂ９２に差し込むことにより、コネクタＡ１００の端子番号３、４、７及び８の端子が外部入力端子Ａ９０の端子番号３、４、７及び８の端子に接続され、端子番号１、２、５及び６の端子は内部電源ユニット８４からの電圧供給には関与しない。これにより、内部電源ユニット８４から液晶駆動用の電圧、例えば、１２ＶがドライバＩＣ８０，８２に供給され、ＴＦＴ１８が作動し、液晶が駆動される。
【００４５】
次に、液晶パネルのドライバＩＣ８０，８２内のトランジスタをスクリーニングする液晶パネルの電圧供給ユニットについて説明する。図９はスクリーニング時の液晶パネルの電圧供給ユニットを示す模式図である。図９において、図７と同一物には同一符合を付して、その詳しい説明は省略する。
コネクタＢ１０６は外部電源（図示せず）からドライバＩＣ８０，８２に高い一定電圧を印加させるためのコネクタである。コネクタＢ１０６を外部入力端子Ａ９０に差し込むことにより、コネクタＢ１０６の端子番号１、２、３、５、６及び７の端子が外部入力端子Ａ９０の端子番号１、２、３、５、６及び７の端子に接続され、端子番号４及び８の端子はドライバＩＣ８０，８２への電圧供給には関与しない。これにより、データドライバ８０及びゲートドライバ８２にそれぞれ、外部電源電圧ＶDDＡ１０４及び外部電源電圧ＶDDＢ１０５が供給される。この時、ドライバＩＣ８０，８２のトランジスタの絶対最大定格の電圧、たとえば、１６Ｖをストレス電圧として供給する。なお、外部電源電圧ＶDDＡ１０４はデータドライバ８０用の電圧であり、外部電源電圧ＶDDＢ１０５はゲートドライバ８２用の電圧なので、それぞれのトランジスタに最適なストレス電圧を設定してスクリーニングすることが好ましい。また、液晶パネルを室温より高い温度に加熱しながら、スクリーニングを行ってもよい。
【００４６】
以上により、ドライバＩＣ８０，８２に供給する電圧を内部電源と外部電源とに切替ることができる。すなわち、ドライバＩＣ８０，８２内のトランジスタのゲート絶縁膜の不良等をスクリーニングする場合、コネクタＡ１００をコネクタＢ１０６に交換することにより、外部電源からの高い電圧をドライバＩＣ８０，８２に印加させることができる。
【００４７】
従って、ドライバＩＣ８０，８２内のトランジスの絶対最大定格に近い高い電圧をストレス電圧として供給できるので、スクリーニングの時間が短くなり、効率を向上させることができる。また、ユニット化された液晶パネルを分解、又は改造する必要がないので、スクリーニングを容易にすることができる。さらに、ドライバＩＣ８０，８２を室温より高い温度で加熱してスクリーニングを行うことにより、さらに、効率を向上させることができる。
【００４８】
本発明は、その精神また主要な特徴から逸脱することなく、他のいろいろな形で実施することができる。そのため、前述の実施の形態はあらゆる点で単なる例示にすぎず、限定的に解釈してはならない。本発明の範囲は、特許請求範囲によって示すものであって、実施の形態には、なんら拘束されない。
【００４９】
【発明の効果】
以上説明したように、第１の発明の液晶パネルはＴＦＴのゲート部に一定電圧である第１の電圧とパルス化された第２の電圧とを択一的に選択して供給するスイッチング手段を有している。通常の液晶駆駆動時には、液晶駆動に最適な所定のパルス電圧を印加させ、ＴＦＴの閾値シフトを修正させる時には、パルスではない一定電圧に固定して印加させる。これにより、実質的に、ＴＦＴの閾値シフトを修正するための電圧印加時間を少なくすることができるため、効率よくＴＦＴの閾値シフトを修正を行うことが可能となる。
【００５０】
一つの好ましい形態では、データバスラインやコモン電極に供給する電圧を接地電位にするスイッチング素子を有している。これによれば、データバスラインやコモン電極に電圧が印加されないので液晶は駆動されない。すなわち、液晶に悪影響を与えないで効率よくＴＦＴの閾値シフトの修正を行うことが可能となる。
【図面の簡単な説明】
【図１】図１は第１の実施の形態の液晶パネルを示すブロック図である。
【図２】図２はＡＳＩＣ内に設けられ、一定電圧とパルス電圧とを切替る回路を示す模式図である。
【図３】図３はＡＳＩＣ内に設けられ、高い一定電圧とパルス電圧とを切替る回路を示す模式図である。
【図４】図４はデータドライバを接地電位にする回路を示す模式図である。
【図５】図５はコモン電極を接地電位にする回路を示す模式図である。
【図６】図６はデータドライバへの電源供給を切断する回路を示す模式図である。
【図７】図７は第２の実施の形態の液晶パネルを示すブロック図である。
【図８】図８は液晶駆動時の液晶パネルの電圧供給ユニットを示す模式図である。
【図９】図９はスクリーニング時の液晶パネルの電圧供給ユニットを示す模式図である。
【符号の説明】
１０  ＡＳＩＣ、
１２  電源回路Ａ、
１４，８２  ゲートドライバ、
１６，８０  データドライバ、
１７  電源回路Ｂ、
１８  ＴＦＴ、
１９  ゲートバスライン、
２０  データバスライン、
２２  コモン電極、
２３  セレクタ、
３０，４６  電源電圧ＶDD、
３２，４２  オペアンプ、
３５，４５  ＡＳＩＣからの信号線、
４３  コンデンサ、
３４，４４  バイポーラトランジスタ、
２８，３６，４８ａ，４８ｂ，４８ｃ，５１，７３  抵抗、
３８，４０，４７  付加回路、
５０，５２，７２  ＮチャネルＭＯＳトランジスタ、
５４、５６，７０  ＰチャネルＭＯＳトランジスタ、
６２，７４  インバータ、
７５  外部電源、
７６  データドライバ電圧出力回路、
８４  内部電源ユニット、
９０  外部入力端子Ａ、
９２  外部入力端子Ｂ、
８６，８８  スイッチ、
２１，２３，２４，２５，２６，３３，３５，４１，４５，５３，５８，７５，８１，８３，８５，８７，８９，９１  配線、
９３  液晶パネル、
１００  コネクタＡ、
１０６  コネクタＢ。
【図１】
0004368493.tif 000002
【図２】
0004368493.tif 000003
【図３】
0004368493.tif 000004
【図４】
0004368493.tif 000005
【図５】
0004368493.tif 000006
【図６】
0004368493.tif 000007
【図７】
0004368493.tif 000008
【図８】
0004368493.tif 000009
【図９】
0004368493.tif 000010